(57)【要約】【課題】  被検物の表面線量率や重量値を人手を介することなく演算装置に入力して誤りなく放射線濃度を求めることができ、しかも煩雑な調整を行う必要のない放射線濃度計測装置及び放射線濃度計測方法を提供する。【解決手段】  線量率撮像カメラによって線量率測定器の線量率表示部の画像を取得し、この画像をコントロールパネル１７の線量率表示領域３６に表示するとともに、重量値撮像カメラによって重量計測装置の重量表示部の画像を取得し、この画像をコントロールパネル１７の重量値表示領域３７に表示する。次に、線量率表示領域３６及び重量値表示領域３７の画像について画像認識人工知能により画像認識を行い、表面線量率３３と重量値３１とをデジタル値として取得して、これらのデジタル値を用いて被検物の放射線濃度３５を算出する。【選択図】  図５
2020143963.tif 000002
【特許請求の範囲】
【請求項１】
放射線物質を含む被検物の表面線量率を計測するシンチレーション検出器と該シンチレーション検出器で計測された表面線量率を表示する線量率表示部とを有する線量率測定器と、
前記線量率表示部に表示されている表面線量率の画像を取得する線量率撮像カメラと、
被検物の重量を計測するスケール部と該スケール部で計測された重量値を表示する重量表示部とを有する重量計測装置と、
前記重量表示部に表示されている重量値の画像を取得する重量値撮像カメラと、
前記線量率撮像カメラで取得した表面線量率の画像と前記重量値撮像カメラで取得した重量値の画像とに基づいて表面線量率と重量値とをデジタル値として取得する画像認識人工知能と、
前記画像認識人工知能によりデジタル値として取得した表面線量率と重量値とを用いて被検物の放射線濃度を算出する演算装置と
を備えた放射線濃度計測装置。
【請求項２】
被検物が放射線物質を含む土壌を充填したフレキシブルコンテナである請求項１に記載の放射線濃度計測装置。
【請求項３】
放射線物質を含む被検物の表面線量率を計測して表示し、
表示されている表面線量率を画像として取得し、
放射線物質を含む被検物の重量値を計測して表示し、
表示されている重量値を画像として取得し、
前記表面線量率の画像と前記重量値の画像とに基づいて表面線量率と重量値とを画像認識人工知能を用いてデジタル値として取得し、及び
デジタル値として取得した表面線量率と重量値とを用いて被検物の放射線濃度を算出する
放射線濃度計測方法。
【請求項４】
被検物が放射線物質を含む土壌を充填したフレキシブルコンテナである請求項３に記載の放射線濃度計測方法。
【発明の詳細な説明】
【技術分野】
【０００１】
本発明は、フレキシブルコンテナに充填された放射性物質により汚染された土壌などの放射線濃度を計測するための放射線濃度計測装置及び放射線濃度計測方法に関するものである。
【背景技術】
【０００２】
ひとたび原子力災害が発生すると、多量の放射性物質が大気中に放出され、これが地上に広範囲に降り注いで土壌汚染を引き起こす。汚染土壌は人への健康被害を起こすため、地表表面から取り除かれ、集められてフレキシブルコンテナ（以下「フレコン」と略称する。）に充填され、所定の場所に集積され保管されることとなる。
しかし、土壌の汚染の程度は地域や場所によって異なるため、フレコンごとに個別に放射線濃度を計測する必要があるが、集積されるフレコンの数は膨大であるため、放射線濃度の計測を迅速に行うことが必要となる。このようなフレコンについての放射線濃度の計測を行う装置は、例えば特許文献１に開示されている。
【先行技術文献】
【特許文献】
【０００３】
【特許文献１】特開２０１７−２１５１４９号公報（段落番号００１７〜００１９）
【発明の概要】
【発明が解決しようとする課題】
【０００４】
しかしながら、上記従来の放射線濃度の計測装置では、詳細は不明であるが、放射線検出器で得られた表面線量率や重量計測装置で計測した重量値などのデータは、人手によりパソコンに入力して放射線濃度を求める必要がある。この場合、人為的な入力ミスが発生した場合には放射線濃度の正確な測定ができないなどの問題がある。また、専用の回路により表面線量率や重量値などのデータを入力することも可能であるが、その場合には放射線検出器や重量計測装置とパソコンとの間の通信規格を調整するなどの作業が煩雑となり、また、放射線検出器や重量計測装置の機種を変更した場合には、再度の規格の調整が必要となるなど、繁雑な作業が生ずる。
【０００５】
上記事情に鑑み、本発明は、被検物の表面線量率や重量値を人手を介することなく演算装置に入力して誤りなく放射線濃度を求めることができ、しかも、線量率測定器や重量計測装置を機種変更した場合にも、煩雑な調整を行う必要のない放射線濃度計測装置及び放射線濃度計測方法を提供することを目的とする。
【課題を解決するための手段】
【０００６】
上記の目的を達成するために、本発明の放射線濃度計測装置は、放射線物質を含む被検物の表面線量率を計測するシンチレーション検出器と該シンチレーション検出器で計測された表面線量率を表示する線量率表示部とを有する線量率測定器と、前記線量率表示部に表示されている表面線量率の画像を取得する線量率撮像カメラと、被検物の重量を計測するスケール部と該スケール部で計測された重量値を表示する重量表示部とを有する重量計測装置と、前記重量表示部に表示されている重量値の画像を取得する重量値撮像カメラと、前記線量率撮像カメラで取得した表面線量率の画像と前記重量値撮像カメラで取得した重量値の画像とに基づいて表面線量率と重量値とをデジタル値として取得する画像認識人工知能と、前記画像認識人工知能によりデジタル値として取得した表面線量率と重量値とを用いて被検物の放射線濃度を算出する演算装置とを備えたことを特徴とする。
【０００７】
上記の放射線濃度計測装置に於いては、被検物は放射線物質を含む土壌を充填したフレキシブルコンテナであることが好ましい。
【０００８】
また、本発明の放射線濃度計測方法は、放射線物質を含む被検物の表面線量率を計測して表示し、表示されている表面線量率を画像として取得し、放射線物質を含む被検物の重量値を計測して表示し、表示されている重量値を画像として取得し、前記表面線量率の画像と前記重量値の画像とに基づいて表面線量率と重量値とを画像認識人工知能を用いてデジタル値として取得し、及びデジタル値として取得した表面線量率と重量値とを用いて被検物の放射線濃度を算出することを特徴とする。
【０００９】
上記の放射線濃度計測方法に於いても、被検物は放射線物質を含む土壌を充填したフレキシブルコンテナであることが好ましい。
【発明の効果】
【００１０】
本発明の放射線濃度計測装置においては、線量率撮像カメラが線量率表示部に表示されている表面線量率の画像を取得するとともに、重量値撮像カメラが重量表示部に表示されている重量値の画像を取得し、これらの表面線量率の画像と重量値の画像とに基づいて、画像認識人工知能が表面線量率と重量値とをデジタル値として取得するので、被検物の表面線量率や重量値を人手を介することなく演算装置に入力して誤りなく放射線濃度を求めることができる。しかも、線量率測定器や重量計測装置の機種変更などにより表面線量率及び／又は重量値の表示位置や表示仕様が変更されても、画像認識人工知能が正確に表面線量率と重量値とを取得するので、煩雑な調整を行うことなく放射線濃度の計測が可能となる。
【００１１】
また、放射線濃度計測方法は、放射線物質を含む被検物の表面線量率の表示を画像として取得するとともに被検物の重量値の表示を画像として取得し、表面線量率の画像と重量値の画像とに基づいて画像認識人工知能を用いてデジタル値として取得して被検物の放射線濃度を算出するので、被検物の表面線量率や重量値を人手を介さずに入力して誤りなく放射線濃度を求めることができ、しかも、表面線量率の画像と重量値の画像の表示位置や表示仕様が変更された場合にも、煩雑な調整を行うことなく放射線濃度計測が可能となる。
【図面の簡単な説明】
【００１２】
【図１】本発明の一実施形態に係る放射線濃度計測装置を表す斜視図である。
【図２】（ａ）は、コントロールボックスの正面図、（ｂ）はコントロールボックスの右側面図である。
【図３】コントロールボックスの扉を開いた内部を示す正面図である。
【図４】放射線濃度の計測を開始する前のコンピューターのコントロールパネルを模式的に表す図である。
【図５】放射線濃度を計測した後のコンピューターのコントロールパネルを模式的に表す図である。
【発明を実施するための形態】
【００１３】
本発明の実施形態について、図面を参照しながら以下に説明するが、本発明は以下の記載に限定されるものではない。
【００１４】
本実施形態の放射線濃度計測装置は、図１に示すように、載置ベース１０を備え、載置ベース１０上には、左右の側板１１ａ、１１ｂと、それらを連結する中央板１１ｃとを有する仕切壁１２が立設されている。また、載置ベース１０上の中央には、重量計測装置を構成するスケール部１３が載置されている。放射線濃度計測に際しては、放射線物質を含む土壌を充填したフレコン（図示せず）が、スケール部１３上に載置される。仕切壁１２の中央には、スケール部１３上のフレコンの表面線量率を計測するシンチレーション検出器１４が取り付けられている。仕切壁１２の背面側には、機器を収蔵するためのコントロールボックス１５が立設されている。
【００１５】
図２（ａ）及び（ｂ）は、それぞれコントロールボックス１５の正面図及び右側面図である。図２（ａ）及び（ｂ）に示すように、コントロールボックス１５は扉１６を有しており、この扉１６の表面には、ＬＣＤパネル等によってコントロールパネル１７が表示されている。また、コントロールボックス１５の左側には、後述するラベルプリンタ２１（図３）によって印刷されるラベルの取り出し口１８が設けられている。
【００１６】
図３は、コントロールボックス１５の扉１６を開いた内部を示す正面図である。コントロールボックス１５の中段には、線量率表示ユニット５０を収納するシンチレーションボックス２２が内蔵されている。本実施形態では、線量率表示ユニット５０は、前述のシンチレーション検出器１４（図１）とＢＮＣケーブルで接続されており、シンチレーション検出器１４での測定結果を表示する線量率表示部５２を備えている。本実施形態では、シンチレーション検出器１４と線量率表示ユニット５０とにより、線量率測定器が構成されている。更に、シンチレーションボックス２２内には、線量率表示部５２の画像を撮像する線量率撮像カメラ５１が設けられている。
【００１７】
コントロールボックス１５の下段には、重量表示ユニット５５を収納するフロアスケールボックス２３が内蔵されている。本実施形態では、重量表示ユニット５５は、前述のスケール部１３（図１）とＲＳ−２３２Ｃケーブルで接続されており、スケール部１３での測定結果を表示する重量表示部５７を備えている。本実施形態では、スケール部１３と重量表示ユニット５５とにより重量計測装置が構成されている。更に、フロアスケールボックス２３内には、重量表示部５７の画像を撮像する重量値撮像カメラ５６が設けられている。
【００１８】
コントロールボックス１５の上段には、画像認識人工知能及び演算装置として機能するコンピューター２０が設置されており、その操作画面が、コントロールボックス１５の扉１６に設けられた前述のコントロールパネル１７（図２（ａ））である。コンピューター２０は、ＵＳＢケーブル（図示せず）によってシンチレーションボックス２２内の線量率撮像カメラ５１と接続されており、このＵＳＢケーブルを介して線量率表示部５２の画像がコンピューター２０に転送されるように構成されている。また、コンピューター２０は、ＵＳＢケーブル（図示せず）によってフロアスケールボックス２３内の重量値撮像カメラ５６と接続されており、このＵＳＢケーブルを介して重量表示部５７の画像がコンピューター２０に転送されるように構成されている。
【００１９】
本実施形態では、コンピューター２０は、上述のように画像認識人工知能としての機能を備えており、多くの表面線量率の画像及び重量値の画像について学習することにより、正確な表面線量率と重量値とを得ることができるようにトレーニングされている。また、コンピューター２０は、デジタル値として取得した表面線量率と重量値とに基づいて、被検物である土壌の放射線濃度を算出する演算装置としての機能をも果たしている。
【００２０】
また、本実施形態では、コントロールボックス１５には、計測日時、表面線量率、重量値、測定結果である放射線濃度等を印刷するラベルプリンタ２１が内蔵されており、ラベルプリンタ２１で印刷されたラベルは、前述の取り出し口１８（図２（ａ））に排出される。このラベルは、計測対象であるフレコンに貼り付けられる。
【００２１】
本実施形態の放射線濃度計測装置の操作手順について説明する。まず、コンピューター２０により画像認識人工知能のプログラムを起動する。プログラムの起動に前後して、図１のスケール部１３上には、被検物である放射線物質を含む土壌を充填したフレコンを載置しておく必要があることは言うまでもない。図４は、プログラム起動直後のコントロールパネル１７を模式的に表している。コントロールパネル１７は、測定結果表示領域２４と画像表示領域２５とを有しており、起動直後では測定結果表示領域２４には測定結果は何も表示されていない。画像表示領域２５は、更に線量率表示領域３６と重量値表示領域３７を有しており、線量率表示領域３６には、図３で説明したシンチレーションボックス２２内の線量率撮像カメラ５１による線量率表示部５２の画像が表示されている。同様に、重量値表示領域３７には、図３で説明したフロアスケールボックス２３内の重量値撮像カメラ５６による重量表示部５７の画像が表示されている。
【００２２】
次に、「撮影」と表示されている開始ボタン４２をクリックすると、線量率表示領域３６に表示されている線量率表示部５２の画像と、重量値表示領域３７に表示されている重量表示部５７の画像について、画像認識人工知能による画像認識処理が開始され、表面線量率と重量値とが求められる。続いてコンピューター２０は、表面線量率と重量値とに基づいて放射線濃度がデジタル値として算出する。
【００２３】
図５は画像認識及び演算処理後のコントロールパネル１７を表す模式図である。図５に示すように、測定結果表示領域２４の重量値３１及び表面線量率３３の欄には、画像認識人工知能による認識結果として、それぞれ「５２．８ｋｇ」、「０．１７μＳｖ／ｈ」という値が表示され、放射線濃度３５の欄には、演算の結果として「４５０７６Ｂｑ／ｋｇ」という値が表示される。これにより、放射線濃度の測定が完了する。
【００２４】
本実施形態では、画像認識人工知能による画像認識の結果が誤っている場合、修正ボタン３２、３４により、それぞれ重量値３１及び表面線量率３３の表示を変更し、変更後の重量値及び表面線量率に基づいて放射線濃度を算出することも可能となっている。また、設定ボタン３９により、線量率撮像カメラ５１及び重量値撮像カメラ５６の調整を行うことができるように構成されている。更に、本実施形態では、印刷ボタン４１をクリックすることにより、ラベルプリンタ２１（図３）が計測を行った現場名、計測日時、表面線量率、重量値、測定結果である放射線濃度等をラベルに印刷し、ラベルの取り出し口１８に排出するように構成されている。また、本実施形態では、保存ボタン４０をクリックすることにより、計測を行った現場名、計測日時、表面線量率、重量値、測定結果である放射線濃度等の記録を、例えばＣＶＳ形式のデータとして、記憶媒体に残すことが可能となっている。なお、初回の放射線濃度計の後、開始ボタン４２の表示が「再開」と変更され、これをクリックすることでコントロールパネル１７を計測開始画面に戻し、これにより連続してフレコンの放射線濃度計を行うことができる。
【００２５】
なお、本実施形態では、表面線量率及び重量値の画像がデジタル表示される場合について説明したが、本発明は、例えば文字盤と針で構成される完全なアナログ表示であっても適用することができる。
【符号の説明】
【００２６】
１０…載置ベース
１２…仕切壁
１５…コントロールボックス
１３…スケール部
１４…シンチレーション検出器
１７…コントロールパネル
１８…ラベル取り出し口
２０…コンピューター
２１…ラベルプリンタ
２２…シンチレーションボックス
２３…フロアスケールボックス
２４…測定結果表示領域
２５…画像表示領域
３６…線量率表示領域
３７…重量値表示領域
５０…線量率表示ユニット
５１…線量率撮像カメラ
５２…線量率表示部
５５…重量表示ユニット
５６…重量値撮像カメラ
５７…重量表示部
【図１】
2020143963.tif 000003
【図２】
2020143963.tif 000004
【図３】
2020143963.tif 000005
【図４】
2020143963.tif 000006
【図５】
2020143963.tif 000007